(57)【要約】【課題】長尺の金属製角材で作られた支柱と梁材とを直接接続するだけで安定な立枠を構成できて、しかも支柱の下端に付設した脚板の間に回り止め材を付設する必要を無くして、人が立枠に近づくときの危険を無くした立枠を提供する。【解決手段】支柱の一つの表面と、この表面と反対側に向く裏面とに、長手方向に長い同形のスリットを多数長手方向に列をなして対称に穿設しておき、また梁材には長手方向の両端に長手方向に突出する突片と、その先を内側へ折曲して表面に垂直に起立させた挿入部とを付設しておき、一つの梁材は挿入部を支柱の表面側のスリットに挿入し、他の梁材は挿入部を支柱の裏面側のスリットに挿入して支柱間に固定する。【選択図】図３
2008018150.tif 000002
【特許請求の範囲】
【請求項１】
断面が少なくともコの字状を呈する金属製長尺体で作られた支柱と梁材とからなり、支柱はその表面上に長手方向に長い同形のスリットを多数長手方向に列をなして穿設されており、梁材は長手方向の両端に長手方向に突出する突片を備え、突片は先端に内側へ折曲されて上記一面に垂直に延びる挿入部を備えており、梁材の挿入部を支柱のスリットに挿入して梁材を支柱間にさしわたし接続してなる立枠において、支柱には脚板の延びる方向に向く表面と、この表面と反対がわに向く裏面とに上記スリットを対称に穿設し、梁材の突片は、梁材の長手方向の両端に１つの表面の延長上に少なくとも１個付設し、突片の突出長を支柱のかどからスリットまでの距離に等しくするとともに、突片と挿入部との境に丁度支柱の肉厚を挿入するだけの切欠を付設しておき、１つの梁材はその挿入部を支柱の表面側のスリットに挿入し、他の梁材はその挿入部を支柱の裏面側のスリットに挿入し、挿入方向を互いに反対にして梁材を支柱間にさしわたし、梁材の切欠内に支柱のスリット縁を嵌入してなることを特徴とする立枠。
【請求項２】
断面が少なくともコの字状を呈する金属製長尺体で作られた支柱と梁材とからなり、支柱はその表面上に長手方向に長い同形のスリットを多数長手方向に列をなして穿設されており、梁材は長手方向の両端に長手方向に突出する突片を備え、突片は先端に内側へ折曲されて上記一面に垂直に延びる挿入部を備えており、梁材の挿入部を支柱のスリットに挿入して梁材を支柱間にさしわたし接続してなる立枠において、支柱には脚板の延びる方向に向く表面と、この表面と反対がわに向く裏面とに上記スリットを対称に穿設し、梁材の突片は、梁材の長手方向の両端に１つの表面の延長上に少なくとも１個付設し、突片の突出長を支柱のかどからスリットまでの距離に等しくするとともに、突片と挿入部との境に丁度支柱の肉厚を挿入するだけの切欠を付設しておき、１つの梁材はその挿入部を支柱の表面側のスリットに挿入し、他の梁材はその挿入部を支柱の裏面側のスリットに挿入し、挿入方向を互いに反対にして梁材を支柱間にさしわたし、梁材の切欠内に支柱のスリット縁を嵌入して立枠を構成し、支柱の表面又は裏面側のスリット内に挿入部の付設された棚用ブラケットを固定し、棚用ブラケットに棚板を付設してなることを特徴とする棚。
【請求項３】
前記脚板は、三角形又は台形の金属板の縁を垂直に同じ方向に折曲して側壁とし、１つの側壁では先端部分をさらに外側へ折曲して外側に向かって開口する断面コの字状の挟持部を形成し、挟持部で支柱を挟んで支柱に固定されている、請求項１に記載の立枠。
【請求項４】
前記脚板は、三角形又は台形の金属板の縁を垂直に同じ方向に折曲して側壁とし、１つの側壁では先端部分をさらに外側へ折曲して外側へ向かって開口する断面コの字状の挟持部を形成し、挟持部で支柱を挟んで支柱に固定されている、請求項２に記載の棚。
【請求項５】
前記棚用ブラケットは、１つの内角を直角とした三角形又は台形の金属板からなり、直角を挟む一辺に沿って挿入部が突設され、挿入部の基部に切欠が付設され、挿入部を支柱のスリット内に挿入し、切欠内にスリット縁を嵌入させて支柱に固定されている、請求項２又は４に記載の棚。
【発明の詳細な説明】
【技術分野】
【０００１】
この発明は、支柱と梁材とからなる立枠に関するものである。とくにこの発明は、断面が少なくともコの字状を呈する金属製角材で作られた支柱と梁材とを接続して作る、直角四辺形の立枠に関するものである。また、こうして作られた立枠に棚板を配置して作られた棚、例えば商品陳列用の棚に関するものである。
【背景技術】
【０００２】
断面が少なくともコの字状を呈する金属製長尺体で作られた支柱と梁材とを接続して直角四辺形の立枠を作ることは広く行われている。この立枠に棚板を配置して作られた棚は、一般にスチール棚と云われている。スチール棚は商品の陳列、収納などに広く使用されている。
【０００３】
支柱と梁材とを接続してただ１つの平面状に延びるだけの直角四辺形の立枠を作る方法は、例えば特開２００２−５１８４６号公報に記載されている。その方法は、図１に示したように、支柱Ａと梁材Ｂとを何れも直角四辺形の断面を持った金属製長尺体で作り、支柱ＡにはスリットＣを穿設しておき、梁材Ｂには長手方向の両端に挿入部Ｅを付設しておき、挿入部ＥをスリットＣ内に挿入して立枠とするものである。
【特許文献１】特開２００２−５１８４６号公報
【０００４】
図１に示したような、支柱Ａを左右に一本ずつ立てておき、この間に梁材Ｂをさしわたして単なる四角形の立枠を作る場合には、スリットＣはこれまで支柱Ａの一つの面Ａ１だけに穿設されてきた。云いかえると、スリットＣは、支柱Ａの脚板Ｆが突出する方向に向く１つの表面Ａ１だけに穿設されており、表面Ａ１と反対方向に向く裏面Ａ２には穿設されなかった。
【０００５】
その理由の１つは、支柱Ａの間に梁材Ｂをさしわたして付設するには、通常支柱Ａの１つの表面Ａ１側から梁材Ｂを近づけて付設すれば足り、敢えて裏面Ａ２側へ回って裏面Ａ２側から梁材を付設する必要がないからである。もう１つの理由は、裏面Ａ２側にスリットを穿設すると、それだけ余分な手間がかかり、しかも却って支柱の強度を弱めることとなるからである。
【０００６】
ところが、図１に示したように、挿入部ＥをスリットＣ内に挿入して梁材Ｂを支柱Ａに接続しただけでは、立枠の構造が定まらない。その理由は、組み立てた立枠では、裏面Ａ２側を基準にすると、支柱Ａがその中心軸の周りに内側へ回転できる余地を持っているからである。すなわち、支柱Ａの下端に脚板Ｆを付設すると、脚板Ｆは矢印Ｙ方向に移動できることとなるからである。そのため、立枠を固定するために左右の脚板Ｆの間に回り止め材Ｇを付設する必要があった。
【０００７】
ところが、回り止め材Ｇを付設すると、立枠の使用に不都合を生じる。不都合とは、回り止め材Ｇが床面上に延びているために、立枠に近寄る人が回り止め材Ｇに躓くという危険である。例えば枠を陳列棚に利用する場合に、陳列棚では人が商品を手に取るために、棚に近づく必要があるところ、回り止め材Ｇがあると、人がこれに躓いて転倒する危険を生じる。そのため、回り止め材Ｇの撤去が必要とされたが、左右に一本の支柱が立っているだけの棚枠では、回り止め材Ｇの撤去はできなかった。
【発明の開示】
【発明が解決しようとする課題】
【０００８】
この発明は、上述の不都合を解決しようとするものである。すなわち、この発明は上述のような立枠において、脚板の間を接続する回り止め材を無くして、人が枠に近づくときの危険を無くするとともに、支柱と梁材とを直接接続しただけで安定な立枠を構成できる接続構造を提供するものである。
【課題を解決するための手段】
【０００９】
この発明者は、これまで２本の支柱に梁材をさしわたして直角四辺形の立枠を作る場合、支柱の一面だけにスリットを穿設して、支柱の１つの面側だけから梁材をさしわたしていたのを改めて、支柱の一面上と、この一面と反対がわに向く裏面上にさらにスリットを穿設することとし、しかも裏面上のスリットを一面上のスリットと対称に設けておくこととした。またこの支柱に梁材を固定するにあたっては、１つの梁材の挿入部を支柱の表面側のスリットに挿入してのち、次の梁材を固定するにあたっては次の梁材の挿入部を支柱の裏面側のスリットに挿入することとし、こうして複数個の梁材を支柱の表面と裏面から交互に固定することとした。すると、支柱と梁材とは全くガタつきのない安定した枠を構成することとなり、従って回り止め材を無くすることができることを見出した。
【００１０】
また、この発明者は、梁材の構造を簡単にするために、梁材の一面の延長上に直接に突片と挿入部とを付設し、突片の突出長を支柱のかどからスリットまでの距離に等しくするとともに、突片と挿入部との境に付設する切欠の最狭部をスリット縁の肉厚が挿入できて丁度固定されるだけの大きさにすると、図１のような連結部材Ｄを用いて、多数の挿入部を設ける必要がなくなり、梁材の長手方向の両端に１つの面上にただ１個の挿入部を設けるだけで、好ましくは１つの面の幅方向の両端にそれぞれ１個の挿入部を設けるだけで、梁材を支柱に強固に固定できることを見出した。この発明は、このような知見に基づいて完成されたものである。
【００１１】
この発明は、断面が少なくともコの字状を呈する金属製長尺体で作られた支柱と梁材とからなり、支柱はその表面上に長手方向に長い同形のスリットを多数長手方向に列をなして穿設されており、梁材は長手方向の両端に長手方向に突出する突片を備え、突片の先に内側へ折曲されて上記一面に垂直に延びる挿入部を備えており、梁材の挿入部を支柱のスリットに挿入して梁材を支柱間にさしわたし接続してなる立枠において、支柱には脚板の延びる方向に向く表面と、この表面と反対側に向く裏面とに上記スリットを対称に穿設し、梁材の突片は梁材の１つの表面の延長上に少なくとも１個付設し、突片の突出長を支柱のかどからスリットまでの距離に等しくするとともに、突片と挿入部との境に丁度支柱の肉厚を挿入するだけの切欠を付設しておき、１つの梁材はその挿入部を支柱の表面側のスリットに挿入し、他の梁材はその挿入部を支柱の裏面側のスリットに挿入し、挿入方向を互いに反対にして梁材を支柱間にさしわたし、梁材の切欠内に支柱のスリット縁を嵌入して作られた立枠を提供するものである。
【００１２】
また、この発明は上記棚枠に棚用ブラケットを付設してなる棚を提供するものであって、その棚は、断面が少なくともコの字状を呈する金属製長尺体で作られた支柱と梁材とからなり、支柱はその表面上に長手方向に長い同形のスリットを多数長手方向に列をなして穿設されており、梁材は長手方向の両端に長手方向に突出する突片を備え、突片の先に内側へ折曲されて上記一面に垂直に延びる挿入部を備えており、梁材の挿入部を支柱のスリットに挿入して梁材を支柱間にさしわたし接続してなる立枠において、支柱には脚板の延びる方向に向く表面と、この表面と反対側に向く裏面とに上記スリットを対称に穿設し、梁材の突片は梁材の１つの表面の延長上に少なくとも１個付設し、突片の突出長を支柱のかどからスリットまでの距離に等しくするとともに、突片と挿入部との境に丁度支柱の肉厚を挿入するだけの切欠を付設しておき、１つの梁材はその挿入部を支柱の表面側のスリットに挿入し、他の梁材はその挿入部を支柱の裏面側のスリットに挿入し、挿入方向を互いに反対にして梁材を支柱間にさしわたし、梁材の切欠内に支柱のスリット縁を嵌入して立枠を作り、立枠の表面側又は裏面側のスリット内に棚用ブラケットの挿入部を挿入して棚用ブラケットを固定し、棚用ブラケットに棚板を付設してなるものである。
【発明の効果】
【００１３】
この発明によれば、梁材は長手方向の両端に梁材の一面と平行に突出する突片を備えているが、その突片は梁材の１つの表面の延長上に付設することとし、しかも突片の数を少なくして１個の場合も含めたから、従来のように、断面Ｌ型の大きく突出する連結部材を溶接する必要がなく、従って梁材の構造が簡単となり、梁材の製作が容易となる。
【００１４】
また、この発明によれば、突片の突出長を支柱のかどからスリットまでの距離に等しくするとともに、突片と挿入部との境に丁度支柱の肉厚を挿入するだけの切欠を付設したので、挿入部を支柱のスリットに挿入し切欠内に支柱のスリット縁を嵌入させることにより、梁材を支柱に容易に強固に固定することができる。
【００１５】
さらに、支柱には脚板の延びる方向に向く表面と、この表面と反対がわに向く裏面とにスリットを対称に穿設したので、梁材を表面からと裏面からと交互に付設することができ、梁材の突片に付設された挿入部を表面と裏面とのスリットに交互に挿入することにより支柱が回動するのを防ぐことができ、従って支柱と梁材とからなる直角四辺形の立枠をガタつくことなく強固に構成することができる。従って、支柱に付設した脚板の間を回り止め材により固定する必要がなくなり、支柱と梁材とによって組み立てられた直角四辺形の立枠へ躓くことなく近づくことができる。
【００１６】
この発明では、こうして立枠を組み立てたのち、柱に設けた表面側又は裏面側のスリット内に棚用ブラケットの挿入部を挿入して棚用ブラケットを立枠に固定し、棚用ブラケットに棚板を付設して棚とするので、枠の任意の高さのところに容易に棚板を付設することができる。この棚は、支柱の下部に回り止め材を付設する必要がないので、躓くおそれなく棚に近づくことができ、容易に棚上の商品を手に取ることができる。この発明はこのような利益をもたらすものである。
【発明を実施するための最良の形態】
【００１７】
この発明の実施態様を図面に基づき説明すると、次のとおりである。図２は、この発明で用いることのできる支柱と梁材との一部切欠斜視図である。図３は、この発明に係る立枠の一部切欠斜視図である。図４は、この発明で用いることのできる梁材の一部切欠斜視図である。図５は、この発明に係る棚の一部切欠斜視図である。図６は、図５に示した棚で用いられる脚板の一部切欠斜視図である。図７は、図５に示した棚で用いられる棚用ブラケットの一部切欠斜視図である。
【００１８】
図２において、１は支柱であり、２は梁材である。支柱１と梁材２とは何れも金属板を折曲して作られた長尺の角材で構成されている。詳しく云えば、支柱１は断面が直角四辺形の金属製長尺体で構成されており、梁材２は、断面がほぼ直角四辺形であるが、その１つの面には長手方向に貫通する割目２０が設けられているチャンネル材で構成されている。
【００１９】
支柱１は下端に脚板３が付設されている。脚板３は支柱１の表面１１と、表面１１の反対側に向く裏面１２とを連ねる方向に延びている。表面１１にはスリット１１１が穿設されている。スリット１１１は、支柱１の長手方向に長い長方形とされ、何れも同形同大で、等しい距離をおいて長手方向に２列に並んで穿設されており、支柱１のかどからの距離Ｐは何れも等しくされている。
【００２０】
支柱１には、図２に示したように、表面１１と反対がわに向く裏面１２にもスリット１２１が穿設されている。スリット１２１はスリット１１１と全く対称に穿設されている。すなわち、スリット１２１はスリット１１１と同じく、支柱１の長手方向に長い長方形で同じ大きさとされて、裏面１２上では支柱１のかどから距離Ｐだけ隔たったところに穿設されている。
【００２１】
支柱１ではスリット１１１が１つの面上に２列となって穿設されているが、支柱１を２本だけ用いてただ１個の直角四辺形の立枠を作るだけのときは、スリット１１１は１列で足りる。２列のスリットが必要とされるときは、例えば３本の支柱を用いて、１つの平面上に並ぶ直角四辺形の枠を２個付設する場合に、その中間に位置する支柱において必要とされるだけである。
【００２２】
梁材２は、図２に示したように、長手方向の両端に突片２２及び２３が付設されている。突片２２と２３は、面２１の延長部で構成されていて表面２１と同じ平面上に位置している。突片２２と２３との先端には、それぞれ挿入部２４と２５とが付設されている。挿入部２４と２５とは、全く同じ形状と大きさを持ち、何れも梁材２の内側へ折曲された形になっており、表面２１に対して垂直に起立している。突片２２及び２３の突出長は上述の距離Ｐとされている。その突出長は、さらに正確に云えば、梁材２の端面２９と挿入部２４又は２５の内側面との間の距離Ｓが、丁度距離Ｐだけの長さとされている。
【００２３】
梁材２の突片と挿入部との間には、切欠が付設されている。突片２２を例に採って切欠を詳しく説明すると、切欠２６は、挿入部２４の下部の１部を切り取ることによって形成され、その切り取りの幅は突片２２の内側面から挿入部２４の先端に向かって幅Ｑの長さとされるが、幅Ｑは最狭部が支柱１の板厚Ｒにほぼ等しいか又はそれより僅かに大きくされる。従って、挿入部２４を支柱のスリット１１１内へ挿入したのち、梁材２を押し下げると、スリット１１１の縁が切欠２６内へ嵌合することとなる。切欠２６の開口部はスリット縁の嵌合を容易にするために、僅かに斜めに切欠しておくことが好ましい。
【００２４】
図３は、この発明に係る立枠を示している。詳述すれば、図３では上述のような構造を持った支柱１と５との間に上述のような構造を持った３本の梁材２、４及び９をさしわたし、固定して作った直角四辺形の立枠が示されている。図３に示された支柱１と５には、脚板３の延びる方向に向く表面１１と５１とにそれぞれスリット１１１及び５１１が穿設されているだけでなく、それら表面と反対方向に向く裏面にも、スリットが表面と全く対称に穿設されている。
【００２５】
図３では支柱１と５との最下段に、梁材２がさしわたされて固定されている。梁材２は初め支柱１と５の表面側に支柱１と５から離れて位置し、長手方向の両端に付設された突片２２と２３とを支柱１及び５の表面１１及び５１から遠い側に位置させ、且つ突片と挿入部との間に付設された切欠を下に向けて横に延びている。次いで、梁材２はこの状態のまま支柱１及び５に近づけられ、突片の先に付設された挿入部を支柱１及び５の表面側に穿設されたスリット１１１及び５１１に差し込む。その後に、梁材２は押し下げられて、挿入部と突片との間に付設された切欠内にスリット縁を嵌入させる。こうして、梁材２は支柱１と５との間に固定される。この状態では、梁材２は支柱１と５とが外側へ向かって回動することを防いでいるが、支柱１と５とが内側へ向かって僅かに回動することができる状態にしている。云いかえると、この状態では脚板３が矢印Ｙ方向へ僅かに移動できる状態になっている。
【００２６】
図３では、梁材２の上方にさらに梁材４が付設されている。梁材４は梁材２と全く同じ構造を持っている。但し、梁材４は突片の向く方向が梁材２とは逆になっている。このような付設状態にするために、梁材４は初め支柱１及び５の裏面側に支柱１及び５から離れて位置し、長手方向の両端に付設された突片を支柱１及び５から遠い側に位置させて、切欠を下に向けて位置している。その後、梁材４はこの状態で支柱１と５とに近づき、支柱１及び５の裏面側に穿設されたスリット内に挿入部を挿入し、スリット縁を切欠内に嵌入させて支柱間に固定される。
【００２７】
こうして、梁材４が支柱１及び５に固定されると、梁材４は支柱１と５との裏面側で支柱１と５とが外側へ向かって回動するのを防ぐこととなる。そのため、梁材４は表面側では支柱１と５とが内側へ向かって回動するのを防ぐこととなり、脚板３が矢印Ｙ方向へ移動することを防ぐこととなる。その結果、こうして組み立てられた立枠では、支柱１と５とが、梁材２と４との付設によって、全く回動できない状態となり、従ってガタつくことのない強固な立枠が構成されることとなる。
【００２８】
図３では、梁材４の上方にさらに梁材９が付設されている。梁材９は、梁材２及び４と全く同じ構造を持っている。梁材９は、梁材２と同じように支柱１及び５の表面側から支柱１及び５に近づき、突片９２及び９３の先端に付設された挿入部を支柱１及び５の表面側のスリット１１１及び５１１に挿入し、突片と挿入部との境に付設された切欠内にスリット縁を嵌入させて、支柱１と５とに固定される。
【００２９】
こうして固定された梁材９は、支柱１及び５間の接続を一層確実にするとともに、梁材２と同様に、支柱１及び５が内側へ回動するのを防ぐので、支柱と梁材とで組み立てられた直角四辺形の立枠は全くガタのないものとなる。
【００３０】
この発明は、このように隣接する梁材の突片を支柱の表面側と裏面側から交互に当接して２つの支柱間にさしわたし、差し込みだけで固定して、支柱と梁材とからなる直角四辺形の立枠を全くガタつきのない強固なものとしている。従って、この立枠では、支柱の下端に付設された脚板の間に回り止め材をさしわたす必要がなくなる。従ってこの立枠は、組み立てが簡単になり、安価に提供され、接近を妨げるものがないので立枠の価値が高まる。
【００３１】
図２では、支柱１として断面が直角四辺形の角材を用いた例を示したが、支柱１は、１つの側面１３に割目が形成されていて、断面が梁材２のような形状になったものも用いることができる。また、支柱１としては、表面１１と裏面１２との幅が側面１３の幅よりも狭くされたものを用いることが好ましい。好ましいのは、側面１３の幅が表面１１の幅の１．５〜３倍の範囲内にあるものを用いることであって、最も好ましいのは２倍のものである。
【００３２】
梁材としては断面が直角四辺形の角材を用いることもできる。梁材は図２に示した梁材２のように、上面２７の幅が支柱１の側面１３の幅に等しいことが好ましい。また、梁材は突片が付設されている面２１の幅が上面２７の幅に等しいか又はそれ以上にされていることが好ましい。
【００３３】
梁材に付設される突片は、図４に示したように、梁材２の一面２１上に接続片８を接着又は溶接して付設することもできる。接続片８は、突片２２と挿入部２４、２５と切欠２６とが一体に形成されたものである。そのほか突片は図２に示したように、梁材の長手方向の両端を切削し、その際突片だけを残すようにして付設することもできる。梁材の長手方向の両端では、突片が付設されている面以外は、端面が梁材の長手方向に垂直な１つの平面上にあって、梁材を支柱に付設したとき、端面が支柱の側面に密接することとなることが好ましい。
【００３４】
支柱に穿設するスリットは、その大きさが丁度梁材の挿入部を入れるだけの大きさを持っていることが好ましい。
【００３５】
図５は、この発明に係る立枠を使用して作った陳列棚を一部切欠して示している。図５の陳列棚は、脚板３及び３０が付設された支柱１と５との間に、梁材２と４とが突片を反対がわに向けて固定されて直角四辺形の枠が作られ、この枠に棚板７がさしわたされて作られている。
【００３６】
脚板３と３０とは、何れも金属板をほぼ三角形又は台形に折曲して作られており、その基本的な構造は全く同じである。ただ、脚板３が、脚板３０よりも大きく張り出すようにされている点で異なるだけである。その構造の一例は、図６に脚板３を一部切欠して示したように、台形の板３１を基本とし、その縁を台形板３１に垂直に同じ方向に起立させて側壁として、全体を浅い箱状にしたものである。その側壁の先端部分のうち、台形板３１の縦に延びる１つの側壁の先端部分３３を外側へ台形板３１に平行に折曲して、断面コの字状の挟持部３３を作り、その余の側壁の先端部分は内側へ折曲して断面コの字状の補強縁を形成している。挟持部を構成している側壁の一部は切欠されて窓３２を形成している。図６に示した脚板３では、切欠が挟持部の１つの端片にまで延びて挟持部を３３と３４との２部分に分けている。挟持部３３と３４とは支柱１又は５を挟持するためのものであり、窓３２は支柱に付設されたスリットの一部を露出させるためのものである。挟持部の中央片には小孔３５が穿設されている。
【００３７】
脚板３は、挟持部３３と３４内へ支柱１又は５の表面側を挿入し、孔３５にネジ３６を通して支柱に固定される。同様にして、脚板３０が支柱１又は５の裏面側に当接され、ネジにより支柱に固定される。こうして組み立てられた支柱１と５とは、表面１１に設けられたスリット１１１の一部を脚板３の窓３２から露出させている。
【００３８】
こうして組み立てられた支柱１と５には、図５に示したように、梁材２がさしわたされる。このとき、梁材２は突片２２と２３とを支柱１の表面１１に当接し、突片の先に付設された挿入部を表面１１に付設されたスリット１１１に挿入させて支柱１に固定される。同様にして、梁材２は、他の突片２２と２３とを支柱５の表面５１に当接し、その先に付設された挿入部をスリット５１１に挿入して支柱５に固定される。さらに、梁材２は各突片と挿入部との間に付設された切欠内に、支柱のスリット縁を嵌入させて支柱間に固定される。
【００３９】
支柱１と支柱５との間には支柱の上部にさらに梁材４がさしわたされる。この際、梁材４は図５に示したように突片を支柱１と５との裏面に当接し、突片の先に付設された挿入部を裏面に付設されたスリットに挿入させて支柱１と５との間にさしわたされる。さらに梁材４は、各突片と挿入部との間に付設された切欠内に支柱１と５とのスリット縁を嵌入させて支柱間に固定される。こうして棚を構成するための直角四辺形の立枠が作られる。
【００４０】
直角四辺形の枠には図５に示したように、さらに棚用ブラケット６が付設される。棚用ブラケット６は、図７に示したように、三角形板又は台形板６１を基本としているが、台形板６１は辺６２と６３との挟角αを直角とされている。辺６３の両端には挿入部６４が突設されている。挿入部６４は梁材２の挿入部２４、２５と全く同じ形状と大きさを持つように作られており、台形板６１との境に切欠６５が付設され、切欠６５は他辺６６に向かう方向に開口している。従って切欠６５の開口は支柱１及び５のスリット縁を丁度嵌め込める大きさとなっている。また、台形板６１の辺６２と６６との縁は、台形板６１に垂直に同じ方向に折曲されて、断面がコの字の補強縁６７及び６８を形成している。但し、補強縁６７の先はさらに台形板６１に垂直に折曲されて棚板の受面６９を形成している。
【００４１】
棚用ブラケット６は、図５に示したように、棚板受面６９を内側にして、支柱１及び５に付設される。それには、最初に、棚板受面６９を上にし挿入部６４の切欠６５を下に向け、挿入部６４を支柱１及び５の表面１１及び５１に向けて棚用ブラケット６を位置させる。この状態で棚用ブラケット６を支柱１及び５に近づけ挿入部６４を表面１１及び５１に付設されたスリット１１１及び５１１に挿入する。さらに切欠６５内にスリット縁を嵌入させて棚用ブラケット６を支柱１及び５に固定する。
【００４２】
その後に棚用ブラケット６の棚板受面６９の間に棚板７を載せて、ブラケット６に固定して棚が完成される。
【００４３】
この棚は、棚板７が２本の支柱１と５とで支持されているだけであり、またその間に２本の梁材２と４とを差し込んで固定されているだけであるが、梁材２と４とがそれぞれ支柱１と５との表面及び裏面がわから挿入部を挿入し、挿入部に付設された切欠内にスリット縁を嵌入させているので、支柱１と５及び梁材２と４とで構成された立枠は全くガタつくことがなく強固である。だから、この立枠には脚板の間に回り止めをさしわたす必要がない。脚板間に回り止めを付設しないでおくことができるから、この立枠を基礎とした棚は人が躓く危険をなくして棚に近づくことができる。その結果、全く危険なしに棚に陳列された商品を手に取ることができるという利点が得られる。
【図面の簡単な説明】
【００４４】
【図１】支柱と梁材との従来の接続構造を示した一部切欠斜視図。
【図２】この発明で用いることのできる支柱と梁材との一部切欠斜視図。
【図３】この発明に係る立枠の一部切欠斜視図。
【図４】この発明で用いることのできる梁材の一部切欠斜視図。
【図５】この発明に係る棚の一部切欠斜視図。
【図６】図５に示した脚板３の斜視図。
【図７】図５に示した棚用ブラケット６の一部切欠斜視図。
【符号の説明】
【００４５】
１、５                      支柱
２、４、９                  梁材
３、３０                    脚板
６                          棚用ブラケット
７                          棚板
８                          接続片
１１、５１                  支柱の表面
１２                        支柱の裏面
１３                        支柱の側面
２０                        割目
２１                        表面
２２、２３、９２、９３      突片
２４、２５                  挿入部
２６、６５                  切欠
２７                        上面
２９                        端面
３１、６１                  台形板
３２                        窓
３３、３４                  挟持部
３５                        孔
３６                        ネジ
６２、６３                  台形板６１の辺
６４                        挿入部
６６                        台形板６１の他辺
６７、６８                  補強縁
６９                        棚板受面
１１１、１２１、５１１      スリット
【図１】
2008018150.tif 000003
【図２】
2008018150.tif 000004
【図３】
2008018150.tif 000005
【図４】
2008018150.tif 000006
【図５】
2008018150.tif 000007
【図６】
2008018150.tif 000008
【図７】
2008018150.tif 000009